(57)【要約】【課題】  鏡筒に取着した状態でワンタッチで折り返すことができ、また、折り返した状態で外観性に優れるレンズフードを提供すること。【解決手段】  一対の第１片体３６をそれぞれ掴んでフード本体３０を裏返すと、円錐面部３４と一対の第１片体３６と一対の第２片体３８とが簡単に反転されかつ反転された状態が保持される。反転された状態で、円錐面部３４は、連結具２２（基部３２）の先端の半径方向外側で前方に凸状の環状の湾曲面となり、一対の第１片体３６と一対の第２片体３８は、カメラ本体１２に向かうにつれて次第に外径が大きくなる円錐面上に位置し、一対の第１片体３６は、第１の鏡筒１４０２の半径方向外側まで延在し、一対の第２片体３８は、第１の鏡筒１４０２の左右部で第１の鏡筒１４０２の前端付近まで延在する。【選択図】        図２
2005300970.tif 000002
【特許請求の範囲】
【請求項１】
鏡筒に取着されるカメラのレンズフードであって、
前記鏡筒に着脱可能に取着される筒状の連結具と、
前記連結具に取着された可撓性材料からなるフード本体とを備え、
前記フード本体は、前記筒体に取着される筒状の基部と、前記基部から離れるにつれて内径および外径が次第に大きくなる円錐面部と、前記円錐面部の先部で互いに対向する箇所から前方に突出された一対の第１片体と、前記円錐面部の先部で前記一対の第１片体の間の箇所から前記第１片体よりも小さい突出量で前方に突出された一対の第２片体とを備え、
前記円錐面部と前記一対の第１片体と前記一対の第２片体は、前記一対の第１片体を掴んで裏返すと反転され、かつ、反転された状態において、前記円錐面部は前記基部の半径方向外側で前方に凸状の環状の湾曲面となり、前記一対の第１片体と前記一対の第２片体は前記連結具の半径方向外側でカメラに近づくにつれて直径が次第に大きくなる円錐面上で後方に延在するように形成されている、
ことを特徴とするレンズフード。
【請求項２】
前記円錐面部の内周面には、該内周面の全周にわたって延在する凹溝が軸方向に間隔をおいて複数形成されていることを特徴とする請求項１記載のレンズフード。
【請求項３】
前記レンズフードは、前記一対の第１片体が鏡筒の上下に位置するように鏡筒に取着され、鏡筒の下部に位置する第１片体はカメラの底面よりも下方に位置していることを特徴とする請求項１記載のレンズフード。
【請求項４】
前記レンズフードは、前記一対の第１片体が鏡筒の上下に位置するように鏡筒に取着され、前記反転された状態において、前記一対の第１片体は鏡筒の半径方向外側まで延在し、前記一対の第２片体は鏡筒の半径方向外側で鏡筒の前端付近まで延在していることを特徴とする請求項１記載のレンズフード。
【請求項５】
前記レンズフードは、前記一対の第１片体が鏡筒の上下に位置するように鏡筒に取着され、前記反転された状態において、鏡筒の下部に位置する第１片体は鏡筒の半径方向外側でカメラの底面よりも下方に位置していることを特徴とする請求項１記載のレンズフード。
【請求項６】
前記レンズフードは、前記一対の第１片体が鏡筒の上下に位置するように鏡筒に取着され、鏡筒の下部に位置する第１片体はカメラの底面よりも下方に位置し、かつ、前記反転された状態において、前記第１片体は鏡筒の半径方向外側でカメラの底面よりも下方に位置していることを特徴とする請求項１記載のレンズフード。
【請求項７】
前記フードは、黒色のエラストマーで形成されていることを特徴とする請求項１記載のレンズフード。
【発明の詳細な説明】
【技術分野】
【０００１】
本発明はカメラの鏡筒に取着されるレンズフードに関する。
【背景技術】
【０００２】
カメラ（デジタルカメラやビデオカメラ、フィルム式カメラなどを含む撮像装置）では、撮像したい画像以外の余計な光線を遮りフレアなどによる画質の低下を防止するため、鏡筒にレンズフードが取着される。
この種のレンズフードとして、例えば、特許文献１、特許文献２などが知られている。そして、特許文献１、特許文献２では、例えば、携帯時などにレンズフードが邪魔にならないように、レンズフードを鏡筒に取着した状態でレンズフードの先部を折り返し、レンズフードの全長を短くできるようにした構成が開示されている。
【特許文献１】特開昭５７−４０９２７号公報
【特許文献２】特開昭５７−４０９２８号公報
【発明の開示】
【発明が解決しようとする課題】
【０００３】
しかしながら、この種の全長を短くできる従来のレンズフードでは、レンズフードの全体形状が前端から後端まで周方向に連続する環状面で形成されていることから、その折り返しの動作に手間取り、ワンタッチで反転させることができない不具合がある。
また、レンズフードを折り返した状態では、折り返されたレンズフード部分が内側に位置するレンズフード部分に重ね合わされ、鏡筒の前方において外径が急激に大きくなる部分が生じ、見栄えが悪いという不具合がある。
本発明は前記事情に鑑み案出されたものであって、本発明の目的は、鏡筒に取着した状態でワンタッチで折り返すことができ、また、折り返した状態で外観性に優れ、商品価値、実用的価値を高めることができるレンズフードを提供することにある。
【課題を解決するための手段】
【０００４】
前記目的を達成するため本発明は、鏡筒に取着されるカメラのレンズフードであって、前記鏡筒に着脱可能に取着される筒状の連結具と、前記連結具に取着された可撓性材料からなるフード本体とを備え、前記フード本体は、前記筒体に取着される筒状の基部と、前記基部から離れるにつれて内径および外径が次第に大きくなる円錐面部と、前記円錐面部の先部で互いに対向する箇所から前方に突出された一対の第１片体と、前記円錐面部の先部で前記一対の第１片体の間の箇所から前記第１片体よりも小さい突出量で前方に突出された一対の第２片体とを備え、前記円錐面部と前記一対の第１片体と前記一対の第２片体は、前記一対の第１片体を掴んで裏返すと反転され、かつ、反転された状態において、前記円錐面部は前記基部の半径方向外側で前方に凸状の環状の湾曲面となり、前記一対の第１片体と前記一対の第２片体は前記連結具の半径方向外側でカメラに近づくにつれて直径が次第に大きくなる円錐面上で後方に延在するように形成されていることを特徴とする。
【発明の効果】
【０００５】
本発明によれば、一対の第１片体をそれぞれ掴んで裏返すことでフード本体が簡単に反転され、したがって、レンズフードの全長をワンタッチで簡単に短縮することができる。
また、フード本体が反転された状態で、円錐面部は基部の半径方向外側で前方に凸状の環状の湾曲面となり、一対の第１片体と一対の第２片体は、カメラに向かうにつれて次第に外径が大きくなる円錐面上に位置するので見栄えもよく、携帯時におけるカメラの外観性を高めることができる。
【発明を実施するための最良の形態】
【０００６】
本発明は、一対の第１片体を掴んで裏返すとフード本体が反転され、かつ、反転された状態において、円錐面部は前記基部の半径方向外側で前方に凸状の環状の湾曲面となり、一対の第１片体と一対の第２片体は前記連結具の半径方向外側でカメラに近づくにつれて直径が次第に大きくなる円錐面上で後方に延在するように形成することで上記の目的を達成した。
以下、本発明のレンズフードをデジタルカメラに適用した実施例について図面にしたがって説明する。
【実施例１】
【０００７】
まず、レンズフードが取着されるデジタルカメラの概要から説明する。
図６（Ａ）はデジタルカメラを前方から見た斜視図、図６（Ｂ）はデジタルカメラを後方から見た斜視図を示す。なお、実施例において左右とはカメラの後方から見た左右をいうものとする。
デジタルカメラ１０は、カメラ本体１２を備え、カメラ本体１２の前面中央に鏡筒１４が設けられ、カメラ本体１２の前面上部にストロボ装置１２０２が開閉可能に設けられ、カメラ本体１２の右側部の上部にシャッターボタン１２０４が設けられている。
また、カメラ本体１２の後面に、ズームスイッチ１２０６が設けられ、また、撮像素子で撮像した画像や各種の文字、記号などが表示される液晶パネル１２０８、液晶パネル１２０８にメニューを表示させるとともにこれらメニューのうちの適宜メニューを選択する十字スイッチ１２１０、ファインダ窓１２１２などが設けられている。
【０００８】
鏡筒１４は、カメラ本体１２の前面から突出する第１の鏡筒１４０２と、第１の鏡筒１４０２の内側に第１の鏡筒１４０２に対して出没可能に設けられた第２の鏡筒１４０４と、第２の鏡筒１４０４の内側に第２の鏡筒１４０４に対して出没可能に設けられた第３の鏡筒１４０６とで構成された沈胴式であり、第２の鏡筒１４０４、第３の鏡筒１４０６が第１の鏡筒に対して突出した使用位置と、第１の鏡筒１４０２内に収容された使用位置との間を出没するように構成され、図２、図６では、第２の鏡筒１４０４および第３の鏡筒１４０６が最も突出した状態を示している。
鏡筒１４には、被写体像を導く撮影光学系や、導かれた被写体像を撮像する撮像素子などが組み込まれ、第３の鏡筒１４０４の先部には、撮影光学系の一部を構成する撮影レンズ１４１０が位置している。
また、第１の鏡筒１４０２の前端内周面には、レンズフード取り付け用の雌ねじ１４１４（図２参照）が形成されている。
【０００９】
つぎに、上記構成のデジタルカメラ１０の鏡筒１４に取着されるレンズフード２０について説明する。
図１は鏡筒にレンズフードが取着されたデジタルカメラの斜視図、図２は鏡筒にレンズフードが取着されたデジタルカメラの断面図、図３はレンズフードを取り外した状態のデジタルカメラの斜視図、図４（Ａ）はフード本体の半部断面側面図、（Ｂ）は（Ａ）のＢ矢視図、（Ｃ）は（Ａ）のＣ矢視図、（Ｄ）は円錐面部の拡大断面図、図５はフード本体の反転時の説明図を示す。
レンズフード２０は、連結具２２と、連結具２２に取着されたフード本体３０とを備えている。
連結具２２は、図２に示すように、鏡筒１４に着脱可能に取着される筒体２４と、筒体２４に結合される操作環２６とで構成されている。
【００１０】
筒体２４の基端には雄ねじ２４０２が形成され、この雄ねじ２４０２が第１の鏡筒１４０２の前端内周面の雌ねじ１４１４に螺合されることで連結具２２が鏡筒１４に取着される。
また、筒体２４の先端には、フード本体取り付け用の小径部２４０４が形成され、小径部２４０４と雄ねじ２４０２との間の箇所に、小径部２４０４よりも直径の大きい大径部２４０６が形成され、大径部２４０６の先部に雄ねじ２４０８が形成され、また、大径部２４０６の内周面に周方向の全周に延在する凹溝が光軸方向に間隔をおいて多数設けられ、画像以外の余計な光線を遮るようにしている。
操作環２６は、雄ねじ２４０８に螺合する雌ねじ２６０２を有する大径部２６０４と、大径部２６０４の先端に設けられた小径部２６０６とを有し、大径部２６０４の外周面には、操作環２６を回転操作し易いように多数の凹凸が形成されている。操作環２６は、雌ねじ２６０２が雄ねじ２４０８に螺合されて筒体２４の大径部２４０の先部上に配設されている。
なお、これら筒体２４や操作環２６は硬質な合成樹脂やあるいは金属から構成され、少なくとも筒体２４の内部は黒色で形成されている。
【００１１】
フード本体３０は、黒色のゴムやエラストマーなどの可撓性材料からなり、本実施例では黒色のエラストマーで形成されている。
フード本体３０は、連結具２２に取着される基部３２と、基部３２の先部に設けられた円錐面部３４と、円錐面部３４の先部に設けられた一対の第１片体３６と一対の第２片体３８とを備え、レンズフード２０はいわゆる花形フードである。
基部３２は、筒体２４の小径部２４０４の外周面に回転可能に装着される内径で形成され、基端には外径が大きく形成されたつば部３２０２が形成されている。
そして、雄ねじ２４０２が雌ねじ１４１４に螺合されて連結具２２が鏡筒１４に取着されたのち、フード本体３０は、一対の第１片体３６が鏡筒１４の上下に位置し一対の第２片体３８が鏡筒１４の左右に位置するように回転調整され、その後、操作環２６の回転操作によりつば部３２０２が、操作環２６の小径部２６０６と、大径部２６０４と小径部２６０６との境の段部とに挟持され、レンズフード２０が鏡筒１４に装着される。なお、連結具２２が鏡筒１４に着脱可能に取り付けられる構成や、フード本体３０が連結具２２に取り付けられる構成は、上記の実施例の構成に限定されず、従来公知の様々な構造が採用可能である。
【００１２】
円錐面部３４は、基部３２から離れるにつれて内径および外径が次第に大きくなるように形成されている。
円錐面部３４の内周面には、画像以外の余計な光線を遮るための凹溝３４０２が設けられている。凹溝３４０２は、円錐面部３４の周方向の全長にわたって延在し、光軸方向（軸方向に）に間隔をおいて複数設けられている。
また、円錐面部３４の外周面で円錐面部３４と基部２との境の箇所には、後述する反転の毎に作用する力に対抗するための補強部３４０４が膨出形成されている。
【００１３】
一対の第１片体３６は、円錐面部３４の先部で互いに対向する箇所からそれぞれ前方に突出形成され、先端に至るにつれて肉厚が小さくなるように形成されている。
そして、一対の第１片体３６のうち鏡筒１４の下部に位置する第１片体３６は、鏡筒１４の半径方向外側に位置し、カメラ本体１２の底面１２２０よりも下方に位置するように形成されている。
また、一対の第２片体３８は、円錐面部３４の先部で一対の第１片体３６の間の箇所から第１片体３６よりも小さい突出量で前方に突出形成され、先端に至るにつれて肉厚が小さくなるように形成されている。
なお、一対の第１片体３６と一対の第２片体３８は、円錐面部３４の先部から、前方に至るにつれて直径が次第に大きくなる円錐面上に位置するように前方に突出形成されている。
また、一対の第１片体３６の基部と一対の第２片体３８の基部は周方向においてつながっており、このつながった環状部分と円錐面部３４との境の箇所には、後述する反転の毎に作用する力に対抗するための補強部３４０６が膨出形成されている。
そして、フード本体３０は、図５に示すように、一対の第１片体３６をそれぞれ掴んで裏返すと、図２に点線（イ）で示すように簡単に反転され、基部３２および連結具２２ならびに第１の鏡筒１４０２上に被さった状態に保持されるように形成されている。
【００１４】
より詳細に説明すると、一対の第１片体３６をそれぞれ掴んでフード本体３０を裏返すと、円錐面部３４と一対の第１片体３６と一対の第２片体３８とが簡単に反転されかつ反転された状態が保持されるように、フード本体３０を構成する材料の性状や、厚さ、大きさなどが適宜設定されている。
また、このように反転された状態で、円錐面部３４は、連結具２２（基部３２）の先端の半径方向外側で前方に凸状の環状の湾曲面となり、一対の第１片体３６は、第１の鏡筒１４０２の半径方向外側まで延在し、基部３２および連結具２２ならびに第１の鏡筒１４０２の上下部でそれらの半径方向外側に位置し、一対の第２片体３８は、第１の鏡筒１４０２の左右部で第１の鏡筒１４０２の前端付近まで延在し、基部３２および連結具２２の左右部でそれらの半径方向外側に位置するように形成されている。
また、反転された状態で、一対の第１片体３６と一対の第２片体３８は、カメラ本体１２に向かうにつれて次第に外径が大きくなる円錐面上に位置し、一対の第１片体３６のうち鏡筒１４の下部に位置する第１片体３６は、鏡筒１４の半径方向外側に位置しカメラ本体１２の底面１２２０よりも下方に位置するように形成されている。
【００１５】
本実施例によれば、レンズフード２０が鏡筒１４に取着されたままデジタルカメラ１０を携帯しレンズフード２０が邪魔になるような場合、一対の第１片体３６をそれぞれ掴んで裏返すことで、フード本体３０が簡単に反転され、レンズフード２０の全長をワンタッチで簡単に短縮することができる。
本実施例では、円錐面部３４部分が折り返されてフード本体３０が反転され、円錐面部３４には画像以外の余計な光線を遮るための複数の凹溝３４０２が設けられており、したがって、折り返される箇所にこれら複数の凹溝３４０２が存在することによって、フード本体３０の反転をより簡単に行なう上で有利となっている。
また、フード本体３０が反転された状態で、円錐面部３４は基部３２の半径方向外側で前方に凸状の環状の湾曲面となり、一対の第１片体３６と一対の第２片体３８は、カメラ本体１２に向かうにつれて次第に外径が大きくなる円錐面上で延在しているので、見栄えがよく、したがって、従来の見栄えが悪いという不具合を解消することができる。
また、フード本体３０が反転された状態で、一対の第１片体３６と一対の第２片体３８は、鏡筒１４の半径方向外側に位置するので、携帯時に何かが鏡筒１４に衝突しようとしても反転されたフード本体３０が保護カバーとして機能し、したがって、鏡筒１４を保護する上でも有利となる。
したがって、ワンタッチで簡単に反転でき、反転された状態で見栄えもよく、さらに鏡筒１４を保護できることから、レンズフード２０の商品価値、実用的価値を格段と高めることが可能となる。
【００１６】
また、レンズフード２０が鏡筒１４に取着された状態でデジタルカメラ１０をテーブルや棚などの平面上に置く場合に、一対の第１片体３６のうち鏡筒１４の下部に位置する第１片体３６は鏡筒１４の半径方向外側に位置しカメラ本体１２の底面１２２０よりも下方に位置しているので、鏡筒１４の下部に位置する第１片体３６が鏡筒１４側に撓んだ状態でカメラ本体１２の底面１２２０が平面上に載置される。したがって、レンズフード２０が取着された状態でデジタルカメラ１０をテーブルや棚などの平面上に置く際に、下部に位置する第１片体３６がクッション材として機能し、この点でも鏡筒１４を保護する上で有利となる。
さらに、フード本体３０が反転された状態でデジタルカメラ１０をテーブルや棚などの平面上に置く場合にも、一対の第１片体３６のうち鏡筒１４の下部に位置する第１片体３６はカメラ本体１２の底面１２２０よりも下方に位置しているので、鏡筒１４の下部に位置する第１片体３６が鏡筒１４側に撓んだ状態でカメラ本体１２の底面１２２０が平面上に載置される。したがって、フード本体３０が反転された状態でデジタルカメラ１０をテーブルや棚などの平面上に置く際に、下部に位置する第１片体３６がクッション材として機能し、この点でも鏡筒１４を保護する上で有利となる。
【００１７】
なお、実施例では、カメラがデジタルカメラである場合について説明したが、本発明が適用されるカメラは、デジタルカメラに限定されず、ビデオカメラやフィルム式カメラなどのその他の撮像装置に広く適用される。
【図面の簡単な説明】
【００１８】
【図１】鏡筒にレンズフードが取着されたデジタルカメラの斜視図である。
【図２】鏡筒にレンズフードが取着されたデジタルカメラの断面図である。
【図３】レンズフードを取り外した状態のデジタルカメラの斜視図である。
【図４】フード本体の説明図である。
【図５】フード本体の反転時の説明図である。
【図６】デジタルカメラの説明図である。
【符号の説明】
【００１９】
１０……デジタルカメラ、１２……カメラ本体、１４……鏡筒、２０……レンズフード、２２……連結具、２４……筒体、２６……操作環、３０……フード本体、３２……基部、３４……円錐面部、３６……第１片体、３８……第２片体。
【図１】
2005300970.tif 000003
【図２】
2005300970.tif 000004
【図３】
2005300970.tif 000005
【図４】
2005300970.tif 000006
【図５】
2005300970.tif 000007
【図６】
2005300970.tif 000008